(57)【要約】【課題】液体封入式防振装置における液室やオリフィス通路の構造にに工夫を凝らして、従来にない広い周波数域に亘って高い減衰作用を得る。【解決手段】受圧室ｆ１及び平衡室ｆ２を連通する第１オリフィス通路Ｐ１と、平衡室ｆ２及び中間液室ｆ３を連通する第２オリフィス通路Ｐ２と、を備える。受圧室ｆ１及び中間液室ｆ３を区画するメンブラン４２に所定寸法の連通孔４２ａを設ける。相対的に低周波の振動に対しては受圧室ｆ１及び中間液室ｆ３が実質的に連通され、２つのオリフィス通路Ｐ１，Ｐ２を合わせた仮想のオリフィス通路による高い減衰作用が得られる。振動の周波数が高くなるに連れて徐々に第２オリフィス通路Ｐ２単独の減衰特性に移行する。よって、従来にない広い周波数域に亘って十分な減衰作用が得られる。【選択図】    図３
2010196874.tif 000002
【特許請求の範囲】
【請求項１】
被支持側の第１連結金具と、これにゴム弾性体によって連結された支持側の第２連結金具と、そのゴム弾性体の変形に伴い容積が変化するように両金具間に形成された主液室と、この主液室に第１のオリフィス通路によって連通された第１の副液室と、を備えた液体封入式の防振装置であって、
前記第１の副液室に第２のオリフィス通路によって連通された第２の副液室を備え、その第２オリフィス通路は、前記第１オリフィス通路よりも短いか断面積が大きいかの少なくとも一方とされ、
前記主液室と第２の副液室とが弾性膜部材によって区画されるとともに、この弾性膜部材には前記両液室同士を連通するように所定寸法の連通孔が形成されている
ことを特徴とする液体封入式防振装置。
【請求項２】
前記主液室と前記第１副液室とを仕切る仕切部材を備え、この仕切部材に前記第２副液室と前記第１及び第２オリフィス通路とが形成されている、請求項１に記載の液体封入式防振装置。
【請求項３】
前記第１及び第２連結金具の一方が主荷重入力方向に延びる柱状とされ、他方は、該一方の連結金具の外周側に離間した筒状とされ、
前記仕切部材は前記他方の連結金具の内側に嵌め込まれて、前記主荷重入力方向の一側に主液室を、また、他側に第１副液室を区画するものであり、
前記仕切部材には前記主液室に臨んで開口する凹部が形成され、この開口が前記弾性膜部材に覆われることによって第２副液室が形成されるとともに、その弾性膜部材の略中央に連通孔が形成されている、請求項２に記載の液体封入式防振装置。
【請求項４】
前記弾性膜部材の厚みが１．０〜５．０ｍｍであり、連通孔の直径は２．０〜１０．０ｍｍである、請求項１〜３のいずれか１つに記載の液体封入式防振装置。
【発明の詳細な説明】
【技術分野】
【０００１】
本発明は、内部に封入した液体の流動抵抗によって振動を減衰させるようにした液体封入式の防振装置に関し、特に液室やオリフィス通路の構造に係る。
【背景技術】
【０００２】
従来より、この種の防振装置としては自動車用のエンジンマウントが良く知られている。その基本的な構造は、エンジン側（被支持側）の第１連結金具と車体側（支持側）の第２連結金具とをゴム弾性体により連結するとともに、このゴム弾性体の変形に伴い容積が変化するように両連結金具間に複数の液室を形成して、それらをオリフィス通路によって連通させている。このオリフィス通路を介して流動する液体の共振現象を利用して所定の周波数域のエンジン振動を効果的に吸収し、減衰させることができる。
【０００３】
ここで一般に、自動車用のエンジンは広い運転領域に亘って使用されることから、エンジンマウントは、周波数や振幅の異なる振動入力に対しての防振効果を求められるものであるが、前記のようにオリフィス通路における液体の流動によって効果的に吸収、減衰される振動の周波数は、そのオリフィス通路の断面積や長さによって概ね決まってしまい、１つのオリフィス通路だけで数種類の振動入力に対して十分な防振効果を得ることはできない。
【０００４】
そこで、例えば特許文献１、２には、互いに断面積や長さの異なる２つのオリフィス通路を設けて、それぞれ異なる周波数域にチューニングすることが開示されている。すなわち、同文献１に記載の防振装置は、主液室と第１の副液室とを仕切る隔壁部材の主液室側に第２の副液室を形成するとともに、それら主液室及び第１副液室を連通する第１のオリフィス通路を例えば周波数１５Ｈｚ未満のシェイク振動に、また、第１及び第２の副液室同士を連通する第２のオリフィス通路は例えば周波数２０〜４０Ｈｚのアイドル振動に、それぞれチューニングしている。
【０００５】
さらに、例えば周波数４０Ｈｚを越える振動入力に対しては、主液室と第２副液室とを区画する弾性膜部材（メンブラン）の変形によって、当該主液室の液圧変動を吸収するようにしており、これにより車室内のこもり音を低減することができる。
【０００６】
尚、特許文献２に記載の液体封入式防振装置では、主液室と第１副液室とを仕切る仕切部材において第２副液室が、前記特許文献１のものとは反対に第１副液室側に形成されていて、この第１副液室との間がゴム製の第２ダイヤフラムによって区画されている。そして、第１オリフィス通路が１０Ｈｚ付近のシェイク振動に、また、第２オリフィス通路は２０〜３０Ｈｚ付近のアイドル振動に、それぞれチューニングされている。
【特許文献１】特許第３４６１９１３号公報
【特許文献２】特許第３５６３３０９号公報
【発明の開示】
【発明が解決しようとする課題】
【０００７】
ところで、近年では自動車の乗り心地をさらに改善するために、エンジンマウントにおいて従来のシェイク振動よりも高い周波数域でも減衰を高めたいという要求があるが、これに対し、例えば第１オリフィス通路のチューニングを少し高周波側にずらすとすれば、このことは単に減衰作用の高い周波数域を変更するだけであり、シェイク振動の減衰作用は低下することになるから、あまり効果的とは言えない。
【０００８】
また、仮に第１及び第２オリフィス通路の中間の特性を持つ第３のオリフィス通路を設けるとすれば、ここでの液体の共振の影響によりアイドル振動の周波数域で動ばねが急上昇する（所謂動ばねのジャンプ）虞れがあるし、そもそもエンジンマウントの限られたスペースにおいて副液室やオリフィス通路を３つも設けることは、現実的とは言い難い。
【０００９】
本発明は斯かる点に鑑みてなされたものであり、その目的は、例えば自動車のエンジンマウント等に好適な液体封入式の防振装置において、従来にない広い周波数域に亘って高い減衰作用の得られる構造を提供することにある。
【課題を解決するための手段】
【００１０】
前記の目的を達成するために本発明では、第１及び第２の２つのオリフィス通路を備え、入力振動の周波数によって両者が単純に切り替わるのではなく、以下に述べるような相互作用によって広い周波数域に亘って減衰作用が得られるようにしたものである。
【００１１】
具体的に請求項１の発明では、被支持側の第１連結金具と、これにゴム弾性体によって連結された支持側の第２連結金具と、そのゴム弾性体の変形に伴い容積が変化するように両金具間に形成された主液室と、この主液室に第１のオリフィス通路によって連通された第１の副液室と、を備えた液体封入式の防振装置を対象とする。
【００１２】
そして、上述した前者の従来例（特許文献１）のように、前記第１の副液室に第２のオリフィス通路によって連通された第２の副液室を備え、その第２オリフィス通路は、前記第１オリフィス通路よりも短いか断面積が大きいかの少なくとも一方とするとともに、前記主液室と第２の副液室とを弾性膜部材によって区画した上で、この弾性膜部材には前記両液室同士を連通するように所定寸法の連通孔を設けている。
【００１３】
斯かる構成により前記の防振装置では、まず、相対的に低周波の振動入力によってゴム弾性体が変形し、主液室の容積が周期的に変化するとき、これにより第１オリフィス通路を介して第１副液室との間を液体が流動するとともに、第２副液室及び第２オリフィス通路を介しても第１副液室との間での液体の流動が生じる。これは、低周波の振動入力によって生じる液体の流動速度が比較的低いからであり、このときには主液室と第２の副液室とが弾性膜部材の連通孔を介して実質的に連通されることになる。
【００１４】
この状態は、第１及び第２オリフィス通路を合わせた１つの仮想的なオリフィス通路によって主液室と第１副液室とが連通されているものとみなすことができ、この仮想のオリフィス通路における液体の共振によって、図４に仮想線で示すように、第１及び第２オリフィス通路各々の単独のピーク（図に一点鎖線で示す）の中間の周波数域には、それらのいずれよりも高い減衰作用のピークが現れるようになる。
【００１５】
すなわち、前記第１オリフィス通路の共振周波数付近では本来の減衰作用が得られないものの、そこから高周波側にかけての広い範囲で高い減衰作用が得られるようになる。但し、そうして周波数が高くなるに連れて、徐々に液体は第１オリフィス通路を流れ難くなる（所謂目詰まり）とともに、主液室と第２の副液室とを連通する弾性膜部材の連通孔も流れ難くなってゆくから、前記仮想のオリフィス通路による減衰作用は徐々に失われてゆき、第２オリフィス通路における液体の共振による減衰作用が支配的になってゆく。
【００１６】
そうして入力振動の周波数に応じて徐々に、第１及び第２のオリフィス通路を合わせた仮想のオリフィス通路の減衰特性から第２オリフィス通路単独の減衰特性に移行してゆくことから、本発明では、図に実線や破線で示すように、第１オリフィス通路の共振周波数付近から第２オリフィス通路の共振周波数付近にかけての広い範囲に亘って、従来はオリフィス通路の共振周波数付近でしか得られなかった高い減衰作用が得られるようになる。
【００１７】
したがって、本発明の防振装置を自動車のエンジンマウントに適用する場合、第１オリフィス通路をシェイク振動よりも低い、例えば５Ｈｚ付近の周波数域にチューニングする一方、第２オリフィス通路は従来同様アイドル振動に合わせてチューニングすれば、シェイク振動からアイドル振動までをカバーする広い周波数域に亘って十分な振動減衰作用を得ることができる。
【００１８】
しかも、そうして広い周波数域に亘ってオリフィス通路が機能することから、この周波数域において所謂動ばねのジャンプは生じない。よって、従来以上にシェイクやアイドル振動等を吸収、減衰しながら、それらの中間の周波数域の振動も効果的に吸収、減衰することが可能になり、車両の乗り心地を改善することができる。
【００１９】
好ましいのは、前記主液室と前記第１副液室とを仕切る仕切部材を備え、この仕切部材に前記第２副液室と前記第１及び第２オリフィス通路とを形成することであり（請求項２）、こうすれば防振装置の構造の簡略化が図られる。
【００２０】
より具体的には、前記第１及び第２連結金具の一方が主荷重入力方向に延びる柱状とされ、他方は、該一方の連結金具の外周側に離間した筒状とされている防振装置において、前記仕切部材を前記他方の連結金具の内側に嵌め込んで、前記主荷重入力方向の一側に主液室を、また、他側に第１副液室を区画する。そして、この仕切部材には前記主液室に臨んで開口する凹部を形成し、この開口を前記弾性膜部材により覆って前記第２副液室を形成した上で、その弾性膜部材の略中央に連通孔を形成するのが好ましい（請求項３）。
【００２１】
こうすれば、弾性膜部材の面積を比較的大きく確保しやすい上に、その略中央に形成した連通孔の断面積は、液圧の変動を受けて弾性膜部材が変形しても、あまり大きく変動しないから、上述した発明の作用を安定的に得る上で有利になる。
【００２２】
すなわち、前記連通孔の断面積は、上述した減衰作用の現れ方に大きな影響を与えるものであり、具体的には、連通孔の断面積が大きいほど仮想のオリフィス通路による減衰特性に近づく一方、連通孔の断面積が小さいほど、第１及び第２オリフィス通路各々の特性に近づくようになる。本発明者は実験の結果、上述した発明の作用を得るためには、前記弾性膜部材の厚みが１．０〜５．０ｍｍくらいの場合に、連通孔の直径は２．０〜１０．０ｍｍとすればよく、好ましくは３．０〜６．０ｍｍくらいとするのがよいことを見出した（請求項４）。
【発明の効果】
【００２３】
以上、説明したように本発明に係る液体封入式の防振装置によると、第１及び第２の２つのオリフィス通路の相互作用により、入力振動の周波数が相対的に低いときには両者を合わせた仮想のオリフィス通路による減衰作用が得られるとともに、入力振動の周波数が高くなるに連れて徐々に第２オリフィス通路単独の減衰作用に移行するようになるから、従来にない広い周波数域に亘って十分な減衰作用を得ることができる。
【００２４】
よって、例えば自動車のエンジンマウントとして用いれば、所謂シェイク振動からアイドル振動にかけてエンジンの振動を効果的に吸収、減衰することができ、車両の乗り心地を向上できる。
【発明を実施するための最良の形態】
【００２５】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２６】
（実施形態１）
図１は、本発明に係る液体封入式の防振装置を自動車用エンジンマウントＡに適用した実施形態を示し、このエンジンマウントＡは、図示しない自動車のエンジン及び変速機（以下、両者をまとめてパワープラントという）と車体との間に介在されて、それらの静荷重を支えるとともに、当該パワープラントからの振動を吸収し或いは減衰させて、車体への伝達を抑制するためのものである。
【００２７】
また、実施形態１のエンジンマウントＡは、図示しないブラケット等を介してパワープラントに取り付けられる概略柱状のインナ金具１（第１連結金具）と、これをゴム弾性体２を介して下方から支持する円筒状のアウタ金具３（第２連結金具）とを備え、このアウタ金具３の下側外周における自動車の前側及び後側にそれぞれ溶接された一対の脚部３０（図には一つのみ示す）によって、自動車の車体サイドフレーム等に固定されるようになっている。
【００２８】
前記インナ金具１は、柱軸線Ｚ方向の中間部に厚肉のつば部１０を有し、その下側には下方に向かって窄んだテーパ部１１が、また上側には軸部１２が、それぞれ形成されている。図の例では、つば部１０の上面及び外周面に各々、後述のストッパ金具６と協働するようにストッパゴム層１３，１４が設けられている。また、軸部１２にはパワープラント側のブラケットが取り付けられ、これを締結するためのボルトがボルト穴１２ａに螺入されるようになっている。
【００２９】
尚、図の例では軸線Ｚがパワープラントの静荷重の入力する方向（主荷重入力方向）に延びていて、この軸線Ｚに沿ってインナ金具１のボルト穴１２ａの下端からさらに下方に延びるように、縦孔１５が穿孔されている。この縦孔１５は、インナ金具１の下端に開口しており、後述する液室Ｆに液体を封入するために用いられる。液体の封入後に縦孔１５は鋼球１６によって封止される。
【００３０】
前記ゴム弾性体２は、その上部がインナ金具１下側のテーパ部１１を覆って加硫接着され、そこから放射状に拡がりながら斜め下に向かって延びる傘状の主ばね部２０と、この主ばね部２０の下端に連続して下方に延びる円筒状の延出部２１とからなり、この延出部２１においてアウタ金具３の内周に連結されている。すなわち、図の例ではアウタ金具３は、内筒３１と外筒３２とからなる二重構造のものであり、その内筒３１がゴム弾性体２の延出部２１に埋め込まれて一体化されるとともに、この延出部２１の外周面が外筒３２の内周面に接着固定されている。
【００３１】
また、ゴム弾性体２の延出部２１の内周は下側で拡径されて、環状の段部が形成されており、この段部を受け部として下方からオリフィス盤４が嵌め込まれるとともに、このオリフィス盤４を下方から覆うようにしてゴム製のダイヤフラム５が取り付けられている。ダイヤフラム５の外周部には補強金具が埋め込まれていて、アウタ金具３の内筒３１の下端に形成されたフランジによって、下方からかしめられている。
【００３２】
そうしてダイヤフラム５によりアウタ金具３の下端開口が閉塞されて、液室Ｆが形成される。この液室Ｆは、オリフィス盤４（仕切部材）によって上下に仕切られていて、その上側、即ち主荷重入力方向の一側が受圧室ｆ１（主液室）に、また、下側が平衡室ｆ２（第１副液室）になっている。オリフィス盤４の構造について詳しくは後述するが、図の例ではその外周に上下二重構造の第１オリフィス通路Ｐ１が形成されて、受圧室ｆ１と平衡室ｆ２とを連通させている。
【００３３】
また、オリフィス盤４の内周側には中間液室ｆ３（第２の副液室）が形成されて、受圧室ｆ１との間をメンブラン４２（弾性膜部材）によって区画されているとともに、この中間液室ｆ３の周囲を囲んで円環状の第２オリフィス通路Ｐ２が形成されて、中間液室ｆ３を前記平衡室ｆ２に連通させている。これら第１及び第２オリフィス通路Ｐ１，Ｐ２を介して液体が平衡室ｆ２と受圧室ｆ１及び中間液室ｆ３との間を流動することによって、パワートレインからの振動が効果的に吸収、減衰される。
【００３４】
一方、マウントＡの上部には、ゴム弾性体２の主ばね部２０等を覆うように逆カップ状のストッパ金具６が配設され、その下端部がアウタ金具３の上端部にかしめて固定されている。このストッパ金具６の周壁は、インナ金具１のつば部１０のストッパゴム層１４と協働して車両の前後方向のストッパ機構を構成し、同様にストッパ金具６の上端壁は、ストッパゴム層１３と協働して上下方向のストッパ機構を構成する。
【００３５】
尚、図１においてはマウントＡにパワープラントの静荷重が作用していない状態を示しており、ストッパゴム層１３とストッパ金具６の上端壁との隙間は小さいが、エンジンマウントＡが自動車に取り付けられてパワープラントを支持し、その静荷重が加わる１Ｇ状態では、ゴム弾性体２が撓んでインナ金具１が下方に変位するので、前記の隙間は拡大される。
【００３６】
−オリフィス盤の構造−
次に、前記したオリフィス盤４の構造について詳しく説明すると、この実施形態のオリフィス盤４は、図２に拡大して示すように、アウタ金具３に嵌め込まれるドーナツ状の外側部材４０と、その内側に嵌め込まれる内側部材４１とを組み合わせてなり、全体としては厚肉の円盤状とされている。こうして組み合わされたオリフィス盤本体には上方の受圧室ｆ１に臨んで開口する凹所が形成され、この凹所の上端開口がメンブラン４２により覆われて、中間液室ｆ３が形成されるようになっている。
【００３７】
前記外側部材４０は例えば金属製（樹脂製でもよい）であって、円筒状の本体部４０ａの外周面における上端、下端及びその中間部位からそれぞれ鍔部４０ｂ〜ｄが突出して、それらの間に上下二段の環状溝４０ｅ，４０ｆが各々外側に開口するように形成されている。そして、図２の手前に示す周方向部位において、上段の環状溝４０ｅの一端が鍔部４０ｂを貫通する長穴４０ｇに連通し、一方、環状溝４０ｅの他端は傾斜溝部４０ｈによって下段の環状溝４０ｆの一端に連通されている。また、その下段環状溝４０ｆの他端は、鍔部４０ｄの内周寄りの部位を貫通する幅狭の長穴４０ｉに連通している。
【００３８】
一方でオリフィス盤４の内側部材４１は、概略円板状の底板部４１ａの上面にそれよりも小径の円筒状壁部４１ｂが立設され、その内方に上方に開口する断面円形の凹所４１ｃが形成される一方、円筒状壁部４１ｂの外周面の上端には鍔部４１ｄが突出していて、底板部４１ａの外周寄りの部位との間に概ね全周に亘って、外側に開口する環状溝４１ｅが形成されている。この環状溝４１ｅの一端は、図２の手前に示す周方向部位において鍔部４１ｄに設けられた切欠部４１ｆに連通して、上方に開口する一方、環状溝４１ｅの他端は、底板部４１ａに設けられた切欠部４１ｇに連通して下方に開口している。
【００３９】
そして、図示のように内側部材４１を下方から外側部材４０に嵌め込んで、該内側部材４１の底板部４１ａの下面が外側部材４０の下端の鍔部４０ｄの下面と略面一になるように組み付けた後に、これらをアウタ金具３に嵌め込むと、図１に示すように外側部材４０の環状溝４０ｅ，４０ｆの開口がゴム弾性体２の延出部２１により覆われて、上下二重になった螺旋状の第１オリフィス通路Ｐ１が形成される。
【００４０】
こうして形成される第１オリフィス通路Ｐ１の上端は、オリフィス盤４の外側部材４０の鍔部４０ｂの上面において受圧室ｆ１に臨んで開口し（図１にも示す長穴４０ｇ）、一方、下端は鍔部４０ｄの下面の内周寄りの部位において平衡室ｆ２に臨んで開口している（長穴４０ｉ）。この第１オリフィス通路Ｐ１は、オリフィス盤４の外周を２回周回するもので、かなり長いことから、これを介して受圧室ｆ１及び平衡室ｆ２の間を液体が流動するときには、かなり低い第１の設定周波数（例えば５Ｈｚくらい）において液体の共振が発生するようになる。
【００４１】
同様に、前記内側部材４１の第２オリフィス通路Ｐ２も、その上端が鍔部４１ｄの上面において中間液室ｆ３に臨んで開口する（切欠部４１ｆ）一方、下端は、内側部材４１の底板部４１ａ下面において平衡室ｆ２に臨んで開口しており（切欠部４１ｇ）、この第２オリフィス通路Ｐ２の長さは前記第１オリフィス通路Ｐ１に比べて短いので、これを介して平衡室ｆ２及び中間液室ｆ３の間を相互に液体が流動するときには、前記第１設定周波数よりも高い第２の設定周波数（例えば２０〜２５Ｈｚくらい）において液体の共振が発生するようになる。
【００４２】
つまり、この実施形態のマウントＡは、基本的には第１及び第２の２つのオリフィス通路Ｐ１，Ｐ２を備えたダブル・オリフィス型のものであり、その一方が相対的に低周波域に、また、他方は相対的に高周波域にチューニングされている。それに加えて、この実施形態では受圧室ｆ１と中間液室ｆ３とを区画するメンブラン４２に所定寸法の連通孔４２ａが設けられており、液体の流動速度が比較的低い周波数域においては実質的に両室ｆ１，ｆ３同士が連通されるようになっている。
【００４３】
具体的にメンブラン４２は、例えばＮＲ、ＮＲ／ＢＲ、ＩＩＲやシリコーンゴム等、種々のゴム材料を用いて直径が３０〜６０ｍｍくらい、厚みが１．５〜３．０ｍｍくらいの円板状に成形したものであり（この範囲に限定されない）、ゴムの硬度は概略４０〜８０度くらい（ＪＩＳ  Ｋ６２５３  Ａ）に設定されている。メンブラン４２の外周縁部は前記オリフィス盤本体（外側部材４０及び内側部材４１）の凹所の上端の開口周縁部に接着等されていて、好ましくはその中央付近を貫通するように円形断面の連通孔４２ａが形成されており、その直径は一例として約４．０ｍｍに設定されている。
【００４４】
詳しくは以下に述べるが、連通孔４２ａが大きいほど、また、メンブラン４２のゴムの硬度が高いほど、液体は連通孔４２ａを流通しやすい。また、メンブラン４２自体が大きければ、受圧室ｆ１や中間液室ｆ３の液圧の変動によってメンブラン４２が弾性変形するときに、連通孔４２ａの大きさ（断面積）はあまり大きくは変動しないので、この連通孔４２ａを介しての液体の流動状態が安定する。この点については、メンブラン４２の略中央に連通孔４２ａを形成することも有利に働く。
【００４５】
−第１及び第２オリフィス通路による減衰作用−
斯かる構成の第１及び第２オリフィス通路Ｐ１，Ｐ２による減衰作用について、以下に詳細に説明する。まず、エンジンマウントＡの構造を模式的に示すと、図３のように受圧室ｆ１が第１オリフィス通路Ｐ１によって平衡室ｆ２に連通されるとともに、この平衡室ｆ２が第２オリフィス通路Ｐ２によって中間液室ｆ３に連通されている。そして、その中間液室ｆ３と受圧室ｆ１との間のメンブラン４２には連通孔４２ａが形成されている。第１オリフィス通路Ｐ１は、シェイク振動よりも低い例えば５Ｈｚくらいの周波数にチューニングされ、第２オリフィス通路Ｐ２はアイドル振動に合わせて、例えば２０〜２５Ｈｚくらいにチューニングされている。
【００４６】
ここで、仮に前記メンブラン４２の連通孔４２ａが設けられていないとすれば、従来より公知の（例えば特許文献１を参照）ダブル・オリフィス型のものと同様の構造であり、このマウントＡの減衰作用の周波数特性（以下、単に減衰特性ともいう）は、図４に一点鎖線で示すように、単純に２つのオリフィス通路Ｐ１，Ｐ２における液体の共振によって、それぞれの共振周波数付近（図の例では５Ｈｚ及び２３Ｈｚ）に独立して減衰のピークが現れるようになる。
【００４７】
一方で仮にメンブラン４２がないとすれれば、第１及び第２オリフィス通路Ｐ１，Ｐ２を合わせた仮想的な１つのオリフィス通路によって受圧室ｆ１及び平衡室ｆ２が連通されているとみなすことができる。この仮想のオリフィス通路における液体の共振による減衰特性は図４に仮想線（二点差線）で示すようになり、第１及び第２オリフィス通路Ｐ１，Ｐ２各々のピークの中間の周波数域（図では１５〜２０Ｈｚくらい）に、それらのいずれよりも高い減衰のピークが現れる。
【００４８】
そして、この実施形態のようにメンブラン４２に連通孔４２ａを設けた場合は、図に実線や破線で示すように、あたかも前記２つの特性が合わさったかのようになり、その連通孔４２ａの大きさ（断面積）に応じて両者の中間的な特性を示すようになる。すなわち、同図に実線ａで示すグラフは、この実施形態と同じく連通孔４２ａの直径を４．０ｍｍとした場合であり、破線ｂ１は直径６．０ｍｍの、一方、破線ｂ２は直径２．５ｍｍのそれぞれの場合を示している。
【００４９】
同図から全体的な傾向として、連通孔４２ａの孔径が小さいほど前記のダブル・オリフィス型の特性に近くなり、反対に大きいほど前記の仮想のオリフィス通路の特性に近くなることが分かる。また、グラフａ、ｂ１を対比すると、孔径の増大に応じて低周波側（図の例では１０〜２０Ｈｚ）での減衰作用が高まる一方で、高周波側（同２０Ｈｚ以上）では減衰作用が低下することも分かる。
【００５０】
より具体的に、図示のグラフａ，ｂ１のような特性を有するマウントＡに概略１５Ｈｚ未満の相対的に低周波の振動が入力すると、受圧室ｆ１の容積が周期的に変化して、図３に実線の矢印で示すように第１オリフィス通路Ｐ１を介して平衡室ｆ２との間を液体が流動するとともに、破線の矢印で示すように中間液室ｆ３及び第２オリフィス通路Ｐ２を介しても平衡室ｆ２との間での液体の流動が生じる。すなわち、低周波の振動入力によって生じる液体の流動速度が比較的低いことから、この液体が連通孔４２ａを問題なく流れ、実質的に平衡室ｆ２と中間液室ｆ３とは実質的に連通されているようになる。
【００５１】
この状態では、より短い第２オリフィス通路Ｐ２を介しても液体が流れることから、第１オリフィス通路Ｐ１の液体の共振による減衰作用は低くなるものの、そこから高周波側にかけて前記した仮想のオリフィス通路による高い減衰作用が得られるとともに、この減衰作用は周波数が高いほど高くなってゆく。図示の実線のグラフａでは２０Ｈｚくらいまで、また、破線のグラフｂ１では１５Ｈｚくらいまで、減衰作用は周波数の高まりに応じて高くなっている。
【００５２】
但し、そうして入力振動の周波数が高くなるのに連れて、徐々に液体は第１オリフィス通路Ｐ１を流れ難くなるとともに（所謂目詰まり）、メンブラン４２の連通孔４２ａも流れ難くなってゆくから、実線のグラフａでは１０Ｈｚくらいから、また、破線のグラフｂ１では１３Ｈｚくらいから、徐々に仮想のオリフィス通路による高い減衰作用が失われてゆき、各グラフａ，ｂ１は、それぞれ仮想線のグラフから離れてゆく。
【００５３】
そして、図の例では２０Ｈｚを越える相対的に高い周波数域ではメンブラン４２の連通孔４２ａが実質的に塞がったのと同様になって、液体の流動は主に第２オリフィス通路Ｐ２を介して平衡室ｆ２と中間液室ｆ３との間でのみ生じるようになるから、この第２オリフィス通路Ｐ２による減衰作用（一点鎖線で示す）が支配的になるものと考えられる。
【００５４】
尚、図の例では２０Ｈｚ以上の周波数域においてグラフａ，ｂ１のいずれもが一点鎖線のグラフに比べて低い減衰を示しており、特に連通孔４２ａの大きな破線のグラフｂ１の方が減衰が低くなっている。これは、比較的高い周波数域でも連通孔４２ａを介しての液体の流動は完全にはなくならず、このことによって第２オリフィス通路Ｐ２による減衰作用が低下するからである。
【００５５】
したがって、この実施形態に係るエンジンマウントＡ（防振装置）によると、入力する振動の周波数が相対的に低いときには、第１及び第２の２つのオリフィス通路Ｐ１，Ｐ２の相互作用によって、仮想的な１つのオリフィス通路における液体の共振による高い減衰作用が得られるとともに、その振動の周波数が高くなるに連れて徐々に第２オリフィス通路Ｐ２による減衰作用に移行してゆくようになるから、従来にない広い周波数域に亘って高い減衰作用を得ることができる。
【００５６】
よって、この実施形態のように第１オリフィス通路Ｐ１をシェイク振動よりも低い所定周波数（例えば５Ｈｚ）にチューニングし、第２オリフィス通路Ｐ２はアイドル振動に合わせて２０〜２５Ｈｚくらいにチューニングすれば、図４に実線ａ若しくは破線ｂ１で示すように所謂シェイク振動からアイドル振動までをカバーする広い周波数域に亘って十分な振動減衰作用を得ることができる。
【００５７】
しかも、そうして広い周波数域に亘って第１及び第２オリフィス通路Ｐ１，Ｐ２が機能することから、この周波数域において所謂動ばねのジャンプが生じることがなく、この結果として従来以上にシェイクやアイドル振動等を吸収、減衰しながら、それらの中間の周波数域の振動も効果的に吸収、減衰して、車両の乗り心地を改善することができる。
【００５８】
具体的に図５は、シェイク振動のように車両の乗り心地に相関のある比較的振幅の大きな振動入力（図の例では、９６３Ｎの予荷重を付与した上で±０．５ｍｍの振幅で加振）を対象として、この実施形態のマウントＡの動ばね及び減衰について調べた結果を、従来一般的なシングル・オリフィス型の液封マウントと対比して示したものである。
【００５９】
同図(b)の実線のグラフは、スケールは異なるものの前記図４の実線のグラフａと同じであり、図に破線で示す従来型の液封マウントに比べて所謂シェイク振動の領域（１０Ｈｚ付近）ではやや減衰が低くなるものの、所要の減衰は確保できる上に、そこから３０〜４０Ｈｚくらいまでの非常に広い範囲に亘って高い減衰効果が得られている。このことで、シェイク振動のみならずピッチング等による車体振動も十分に抑制でき、乗り心地が向上する。
【００６０】
しかも、同図(a)に実線のグラフで示すように１０〜３０Ｈｚの広い周波数域に亘って従来までのような動ばねのジャンプ（図に破線で示す）が生じておらず、アイドル振動の吸収に何ら悪影響を及ぼす虞れはない。また、こうした比較的大きな振幅の振動入力に対しては、破線のグラフのように動ばねが落ち込むと、パワートレイン全体のぐらぐら感が現れる心配があるが、実線のグラフには落ち込みがなく、そのような心配もない。
【００６１】
一方、図６には、アイドル振動に相当する比較的小さな振幅（±０．０５ｍｍ）で加振したときの特性を示し、同図(a)に示すようにアイドル振動を含む広い周波数域（図の例では１５〜２５Ｈｚ）において動ばねのボトムが見られることから、この実施形態のマウントＡによってアイドル振動等を効果的に吸収し、車体への振動伝達を十分に抑制できることが分かる。
【００６２】
しかも、その広い周波数域において、同図(b)に実線のグラフで示すように非常に高い減衰が得られており、前記のようにアイドル振動等を効果的に吸収できるのみならず、それを減衰させる効果も期待できる。
【００６３】
−変形例−
図７〜９にはそれぞれ実施形態１の変形例を示す。この変形例のマウントＡは、オリフィス盤４の具体的な構造が前記の実施形態と異なるのみである。
【００６４】
まず、図７に示す変形例１ではオリフィス盤４を、概略円盤状の本体部材４５と、これに組み付けられる蓋部材４６とによって構成している。本体部材４５は、前記実施形態における内側部材４１から鍔部４１ｄを取り除いたものを外側部材４０に組み合わせて、例えば金属材（樹脂材でもよい）によって一体成形したかのような構造である。
【００６５】
一方、蓋部材４６は、そうして内側部材４１から取り除いた鍔部４１ｄの開口を塞ぐようにメンブラン４２を取り付けたような構造であり、この蓋部材４６を図示のように本体部材４５に上方から組み付けることで、第２オリフィス通路Ｐ２及び中間液室ｆ３が形成されるようになっている。尚、図の例では蓋部材４６も金属材（樹脂材でもよい）の成形品としているが、蓋部材４６は板金加工によるものであってもよい。
【００６６】
また、図８、９にそれぞれ示す変形例２、３では、蓋部材４６全体をゴム材によって形成し、その中央寄りの部分をメンブランとして機能させるとともに、その中央部に連通孔４６ａを形成したものである。図８のものでは蓋部材４６の外周縁に金属製（又は樹脂製）のリング部材４６ｂが設けられ、ここにおいて蓋部材４６が本体部材４５に嵌入されている。また、図９のものでは、別体の係止部材４７を後から嵌入して、本体部材４０との間に蓋部材４６の外周寄りの部位を挟持するようになっている。
【００６７】
（実施形態２とその変形例）
続いて図１０には、本発明の実施形態２及びその変形例に係るエンジンマウントＡ’の縦断面図を示す。このエンジンマウントＡ’は、概略的には前記した実施形態１等のマウントＡを倒立させたような構造であるから、形状は異なっていても同様の機能を有する部材には同一の符号を付して、その説明を省略する。
【００６８】
同図(a)に示すマウントＡ’は、インナ金具１が車体側（支持側）に連結される一方、鋳物のアウタ金具３はパワートレイン側（被支持側）に連結されるようになり、それらを連結するゴム弾性体２の主バネ部２０は、上方に向かって拡径する摺り鉢状である。そして、その主バネ部２０に上方からオリフィス盤４及びダイヤフラム５が組み付けられて、液室Ｆ、即ち下部の受圧室ｆ１と上部の平衡室ｆ２とを、それぞれ区画している。
【００６９】
オリフィス盤４の構造は、図２を参照して上述した実施形態１のものと同じであり、それが上下反転して配設されている。すなわち、オリフィス盤４は、外側部材４０、内側部材４１及びメンブラン４２によって構成され、その外周には上下二重構造の第１オリフィス通路Ｐ１が、また、その内周側には中間液室ｆ３とこれを囲む円環状の第２オリフィス通路Ｐ２とが、それぞれ形成されている。
【００７０】
第１オリフィス通路Ｐ１は受圧室ｆ１及び平衡室ｆ２を連通させ、第２オリフィス通路Ｐ２は平衡室ｆ２及び中間液室ｆ３を連通させている。受圧室ｆ１及び中間液室ｆ３の間のメンブラン４２には連通孔４２ａが形成されて、低周波の振動入力に対しては実質的に受圧室ｆ１と中間液室ｆ３とを連通させるようになっている。
【００７１】
そして、この実施形態２に係るエンジンマウントＡ’によっても、前記した実施形態１やその変形例と同様の作用効果が得られ、シェイク振動からアイドル振動までをカバーする広い周波数域の振動を吸収、減衰して、車両の乗り心地を改善することができる。
【００７２】
同図(b)に示す変形例では、オリフィス盤４を円盤状の本体部材４８と、これに組み合わされる円環状部材４９とによって構成し、その内部に内外周二重構造の第１オリフィス通路Ｐ１を形成するとともに、メンブラン４２によって中間液室ｆ３を区画するようにしている。
【００７３】
また、ダイヤフラム５の外周縁に金属製（樹脂製でもよい）のリング部材５１を設けて、これをアウタ金具３に嵌め込むようにしており、このリング部材５１の内部に第２オリフィス通路Ｐ２が形成されている。
【００７４】
尚、同図(c)に示す変形例は、実施形態２のマウントＡ’において、実施形態１の変形例３（図９参照）と同じ構造のオリフィス盤４を上下反転して用いたものである。
【００７５】
−他の実施形態−
本発明に係る防振装置の構成は前記した実施形態１、２やそれらの変形例に限定されることなく、その以外の種々の構成をも包含する。例えば前記の各実施形態等においては、第１及び第２オリフィス通路Ｐ１，Ｐ２のうち、第２オリフィス通路Ｐ２が相対的に長く形成されているが、これに限らずその断面積が相対的に大きくてもよく、要するに第２オリフィス通路Ｐ２がより高周波側にチューニングされていればよい。
【００７６】
また、メンブラン４２や蓋部材４６に形成する連通孔４２ａ，４６ａの大きさは、上述したようにマウントＡ，Ａ’の特性を左右する重要なものであるから、それらメンブラン４２等の大きさや厚み、ゴム硬度等も考慮した上で、マウントに要求される特性に応じて実験等により設定すべきであるが、例えばメンブラン４２等の厚みが１．０〜５．０ｍｍくらいの場合に、連通孔４２ａ，４６ａの直径は２．０〜１０．０ｍｍの範囲に設定すればよいと考えられ、図４の例からは概略３．０〜６．０ｍｍの範囲が特に好ましいと言える。連通孔４２ａ，４６ａは必ずしもメンブラン４２等の中央に設けなくてもよい。
【００７７】
また、前記の各実施形態等では、受圧室ｆ１と平衡室ｆ２とをオリフィス盤４によって仕切っていて、このオリフィス盤４に中間液室ｆ３を設けているが、これに限らず、両室ｆ１，ｆ２を仕切る仕切部材とは別にオリフィス通路Ｐ１，Ｐ２や中間液室ｆ３を設けてもよい。
【００７８】
さらに、前記の各実施形態等では中間液室ｆ３をオリフィス盤４の受圧室ｆ１側に設けて、両室ｆ１，ｆ３間をメンブラン４２等によって区画するとともに、このメンブラン４２等に連通孔４２ａ，４６ａを形成しているが、これに限らず、中間液室ｆ３は平衡室ｆ２側に設けて、両室ｆ２，ｆ３間をメンブラン４２等によって区画するようにしてもよい。
【００７９】
さらにまた、前記の各実施形態等では、本発明の防振装置をいわゆる縦置きのエンジンマウントＡ，Ａ’に適用しているが、これに限らず、横置きのエンジンマウントにも適用することもできるし、エンジンマウントに限らずサスペンションブッシュ等に適用することも可能であり、そればかりか自動車用以外の防振装置にも適用可能と考えられる。
【産業上の利用可能性】
【００８０】
以上、説明したように本発明に係る防振装置は、２つのオリフィス通路の相互作用によって、従来になく広い周波数域に亘り高い減衰作用を得ることができるので、自動車用のエンジンマウントに適用すれば乗り心地の向上に極めて効果が高い。
【図面の簡単な説明】
【００８１】
【図１】実施形態１に係るエンジンマウントの構造を一部分、断面で示す斜視図である。
【図２】同オリフィス盤の構造を示す分解斜視図である。
【図３】オリフィス通路の相互作用を説明するためのマウントの模式図である。
【図４】メンブランの連通孔の大きさを変えて、減衰特性の変化を示すグラフ図である。
【図５】相対的に振幅が大きいときの動ばね及び減衰の特性を示すグラフ図である。
【図６】相対的に振幅が小さなときについての図５相当図である。
【図７】実施形態１の変形例１に係る図１相当図である。
【図８】同変形例２に係る図１相当図である。
【図９】同変形例３に係る図１相当図である。
【図１０】実施形態２及びその変形例に係るマウントの構造を示す縦断面図である。
【符号の説明】
【００８２】
Ａ，Ａ’      エンジンマウント（液体封入式防振装置）
Ｆ            液室
ｆ１        受圧室（主液室）
ｆ２        平衡室（第１副液室）
ｆ３        中間液室（第２副液室）
Ｐ１          第１オリフィス通路
Ｐ２          第２オリフィス通路
Ｚ            軸線（主振動入力方向）
１            インナ金具（連結金具）
２            ゴム弾性体
３            アウタ金具（連結金具）
４            オリフィス盤（仕切部材）
４２        メンブラン（弾性膜部材）
４２ａ      連通孔
４６        蓋部材（弾性膜部材）
４６ａ      連通孔
【図１】
2010196874.tif 000003
【図２】
2010196874.tif 000004
【図３】
2010196874.tif 000005
【図４】
2010196874.tif 000006
【図５】
2010196874.tif 000007
【図６】
2010196874.tif 000008
【図７】
2010196874.tif 000009
【図８】
2010196874.tif 000010
【図９】
2010196874.tif 000011
【図１０】
2010196874.tif 000012